(57)【特許請求の範囲】
【請求項１】
複数の加入者側装置と予め定めた上位装置とを光通信によって接続する複数の接続部と、
前記接続部の夫々に、前記加入者側装置から前記上位装置へ情報の送信を許可する送信許可時間帯を割り当てる割当部と、
を備え、
前記割当部は、前記接続部毎にそれぞれ異なる前記送信許可時間帯を割り当て、前記送信許可時間帯を割り当てるためのフレーム信号の送受信を前記接続部毎に区切って行い、前記フレーム信号の送受信を行っている間に、別の前記接続部の前記送信許可時間帯を演算する、ことを特徴とする光通信装置。
【請求項２】
前記複数の接続部は、
前記上位装置に対して信号の送受信を行う上位装置接続部と、
前記加入者側装置と前記上位装置接続部との間に設けられ、前記上位装置から受信した信号を光信号に変換して前記加入者側装置へ送信し、前記加入者側装置から光信号を受信して電気信号に変換して前記上位装置接続部へ出力する光送受信部と、
前記光送受信部及び前記上位装置接続部に各々接続され、前記上位装置と前記加入者側装置との通信を制御する制御部と、
を各々有する請求項１に記載の光通信装置。
【請求項３】
前記割当部は、前記フレーム信号として前記送信許可時間帯を通知するための最初の第１フレーム信号を前記加入者側装置へ送信し、前記最初の第１フレーム信号に対応する最初の第２フレーム信号を前記加入者側装置から受信したときに、別の前記接続部において、前記送信許可時間帯を通知するための第３フレーム信号の前記加入者側装置への送信を行う請求項１または２に記載の光通信装置。
【請求項４】
前記光通信装置は、複数の前記接続部として、第１の接続部及び第２の接続部を少なくとも備え、
前記割当部は、前記第２の接続部に対してよりも先に、前記第１の接続部に対する前記送信許可時間帯を演算し、前記第２の接続部において前記フレーム信号の送受信を行っている間に、前記第１の接続部に対する前記送信許可時間帯の演算を行う
ことを特徴とする請求項１〜３の何れか１項に記載の光通信装置。
【請求項５】
請求項１〜４の何れか１項に記載の光通信装置と、
前記光通信装置に対して情報の送受信を行う複数の加入者側装置と、
前記光通信装置と前記複数の加入者側装置との間に設けられ、前記光通信装置及び前記複数の加入者側装置の各々と光ファイバを介して接続された光スプリッタと、
を備えた光通信ネットワークシステム。
【発明の詳細な説明】
【技術分野】
【０００１】
本発明は、ＩＥＥＥ（Institute of Electrical and Electric Engineers）やＩＴＵ−Ｔ（International Telecommunication Union Telecommunication Standardization Sector）で規定されたＰＯＮ（Passive Optical Network）システム等で用いられる光通信装置及び光通信ネットワークシステムに関する。
【背景技術】
【０００２】
ＰＯＮ（Passive Optical Network） は局舎に設置されるＯＬＴ（Optical Line Terminal）とユーザ宅内に設置されるＯＮＵ（Optical Network Unit）、及び局舎からユーザまで敷設された光ファイバと、光ファイバを分岐する光スプリッタにて構成される。ここで、一般的なＰＯＮの構成を図４に示す。
【０００３】
ＯＬＴ１１２は光ファイバ１１８及び光スプリッタ１１６を介してＯＮＵ１１４と接続され、光スプリッタ１１６が設置されることにより１つのＯＬＴ１１２に複数のＯＮＵ１１４が接続されるネットワーク形態となる。
【０００４】
ＯＬＴ１１２は、ＯＮＵ１１４からの信号を上位のネットワーク１２０へ転送、逆に上位のネットワーク１２０からの信号をＯＮＵ１１４への転送する機能を各々有する。また、ＰＯＮ区間やＯＮＵ１１４の制御監視機能を有する。ＯＬＴ１１２は、これらの機能を実行するために、上位ネットワークインタフェース（ＩＦ）１２４、フレーム制御部１２６、光送受信部１２８、受信バッファ部１３０、送信バッファ部１３２、及びＤＢＡ（Dynamic Bandwidth Allocation）処理部１３４等を有する。
【０００５】
一方、ＯＮＵ１１４は、ＯＬＴ１１２からの信号をユーザ端末へ転送、ユーザ端末からの信号をＯＬＴ１１２へ転送する機能を有する。
【０００６】
ＰＯＮ区間の下り通信（ＯＬＴ１１２からＯＮＵ１１４への通信）は、ＴＤＭ (Time Division Multiplexing)により、各ＯＮＵ１１４への信号が時間的に重ならないように多重化している。また、ＰＯＮ区間の上り通信（ＯＮＵ１１４からＯＬＴ１１２への通信）は、光スプリッタ１１６で合波するため、各ＯＮＵ１１４からの上り信号が光スプリッタ１１６にて衝突しないように制御することが必要である。そこで、特許文献１にも記載されているようにＯＬＴ１１２から各ＯＮＵ１１４に対して送信許可を通知し、各ＯＮＵ１１４からの上り信号を時間的に分離するＴＤＭＡ (Time Division Multiple Access)により衝突しないよう制御を行っている。この上り通信衝突回避の手順を図５に示す。
【０００７】
図５に示すように、ＯＬＴ１１２では送信許可を示す「ＧＡＴＥ」（図５に示す「Ｇ」）と呼ばれる制御フレームをＯＬＴ１１２のＤＢＡ処理部１３４から各ＯＮＵ１１４へ送る。ＧＡＴＥフレームには、ＯＮＵ１１４に対するデータ送信開始時刻と送信データ量、つまりいつの時点からどれだけの上り信号を送ってよいという情報が収容されており、ＯＮＵ１１４はその指示に従って上り信号の送信を行っている。最初のＧＡＴＥフレームは「ＲＥＰＯＲＴ」（図５に示す「Ｒ」）と呼ばれる制御フレームの送信開始時刻のみ記載されており、データに関する情報は含まれないが、２回目以降のＧＡＴＥフレームにはＲＥＰＯＲＴフレーム、データフレーム（図５に示す「Ｄ」）の送信開始時刻と送信データ量が含まれる。
【０００８】
ＯＮＵ１１４は、ＲＥＰＯＲＴフレームによりＯＮＵ１１４のバッファに蓄積されている送信待ちのデータ量をＯＬＴ１１２に送信する。
【０００９】
各ＯＮＵ１１４の蓄積データ量から、それぞれのＯＮＵ１１４に割り当てるべき上り帯域（ＯＮＵ１１４の上り送信開始時刻と送信量）を算出する。
【００１０】
ＯＬＴ１１２は、算出した値をＧＡＴＥフレームにＲＥＰＯＲＴフレーム、データフレームの送信開始時刻と送信データ量情報として収容し送信する。
【００１１】
ＯＮＵ１１４は、受信したＧＡＴＥフレームで指定されたＲＥＰＯＲＴ送信開始時刻に次回のＤＢＡ周期での帯域割当のために、再度バッファに蓄積している上りデータの量を通知する。また上りデータを送信する。
【００１２】
なお、ＤＢＡ周期（帯域制御の周期）とは、ＯＬＴ１１２がＯＮＵ１１４に対し帯域を割り当てるための各ＯＮＵ１１４の蓄積データ量を収集し演算するための周期である。ある周期における割り当て帯域の演算結果は次のＤＢＡ周期にＧＡＴＥフレームへ挿入しＯＮＵ１１４へ通知することで反映される。
【先行技術文献】
【特許文献】
【００１３】
【特許文献１】特開２０１０−２５２０６２号公報
【発明の概要】
【発明が解決しようとする課題】
【００１４】
しかしながら、特許文献１のようなＰＯＮの構成では、ＯＮＵ１１４の加入数の増加と共に、ＰＯＮを増設する必要があるが、実装スペースの増加や、コスト・消費電力の増加が懸念される。
【００１５】
本発明は、上記事実を考慮して成されたもので、実装スペースを削減すると共に、コスト・消費電力を低減することを目的とする。
【課題を解決するための手段】
【００１６】
本発明に係る光通信装置は、複数の加入者側装置と予め定めた上位装置とを光通信によって接続する複数の接続部と、前記接続部の夫々に、前記加入者側装置から前記上位装置へ情報の送信を許可する送信許可時間帯を割り当てる割当部と、を備え、前記割当部は、前記接続部毎にそれぞれ異なる前記送信許可時間帯を割り当て、前記送信許可時間帯を割り当てるためのフレーム信号の送受信を前記接続部毎に区切って行い、前記フレーム信号の送受信を行っている間に、別の前記接続部の前記送信許可時間帯を演算する、ことを特徴とする。
【００１７】
また、本発明に係る光通信ネットワークシステムは、上記に記載の光通信装置と、前記光通信装置に対して情報の送受信を行う複数の加入者側装置と、前記光通信装置と前記複数の加入者側装置との間に設けられ、前記光通信装置及び前記複数の加入者側装置の各々と光ファイバを介して接続された光スプリッタと、を備えている。
【発明の効果】
【００１８】
本発明によれば、実装スペースを削減すると共に、コスト・消費電力を低減することができる。
【図面の簡単な説明】
【００１９】
【図１】本実施形態に係る光通信ネットワークシステムの概略構成を示すブロック図である。
【図２】第１実施形態に係る光通信ネットワークシステムにおけるＰＯＮ毎の帯域の割当演算の処理の手順を示すタイムチャートである。
【図３】第２実施形態に係る光通信ネットワークシステムにおけるＰＯＮ毎の帯域の割当演算の処理の手順を示すタイムチャートである。
【図４】一般的なＰＯＮの構成を示す図である。
【図５】ＴＤＭＡによる上り通信衝突回避の手順を示すタイムチャートである。
【発明を実施するための形態】
【００２０】
以下、本実施の形態について図面を参照しつつ説明する。図１は、本実施形態に係る光通信ネットワークシステムの概略構成を示す図である。
【００２１】
（第１実施形態）
本実施形態に係る光通信ネットワークシステム１０は、ＯＬＴ１２、ＯＮＵ１４、光スプリッタ１６、及び光ファイバ１８を有する。
【００２２】
ＯＬＴ１２は、本発明の光通信装置に相当し、局舎内に設置され、ＯＮＵ１４は、本発明の加入者側装置に相当し、ユーザ宅内に設置される。ＯＬＴ１２とＯＮＵ１４との間には、光スプリッタ１６が設けられている。光スプリッタ１６は、光信号の分岐及び結合を行うデバイスであり、ＯＬＴ１２と光スプリッタ１６、光スプリッタ１６とＯＮＵ１４との間が各々光ファイバ１８によって接続されている。
【００２３】
すなわち、ＯＬＴ１２は、光ファイバ１８及び光スプリッタ１６を介して複数のＯＮＵ１４と接続されており、光スプリッタ１６により、１つのＯＬＴ１２と複数のＯＮＵ１４とが接続されている。なお、光スプリッタ１６に接続されるＯＮＵ１４は複数に限るものではなく、１以上のＯＮＵ１４が接続される。
【００２４】
ＯＮＵ１４は、ＯＬＴ１２からの光信号を電気信号に変換すると共に、ユーザの端末装置（例えば、パーソナルコンピュータ等）からの電気信号を光信号に変換してＯＬＴ１２へ転送する役割を有する。ＯＬＴ１２は、ＯＮＵ１４からの光信号の上位装置（例えば、インターネット等）へ転送する役割、上位装置からの信号のＯＮＵ１４へ転送する役割、及びＰＯＮ区間やＯＮＵ１４の制御監視をする役割を有する。
【００２５】
ところで、ＰＯＮシステムにおけるＯＬＴ１０のＰＯＮインタフェースボードには、単一のＰＯＮが収容されるのが一般的であるが、本実施形態では、収容効率の向上や省電力化を図るために、複数のＰＯＮを収容している。なお、以下では、２つのＰＯＮ（ＰＯＮ＃１、ＰＯＮ＃２）を収容した例を示す。
【００２６】
本実施形態に係る光通信ネットワークシステム１０におけるＯＬＴ１２は、上位ネットワークインタフェース（ＩＦ）部２０Ａ、２０Ｂ、フレーム制御部２２Ａ、２２Ｂ、光送受信部２４Ａ、２４Ｂ、受信バッファ部２６Ａ、２６Ｂ、及び送信バッファ部２８Ａ、２８Ｂを各々ＰＯＮ（ＰＯＮ＃１、ＰＯＮ＃２）毎に備えている。また、複数のＰＯＮに対して１つのＤＢＡ処理部３０を備えている。上位ネットワークインタフェース（ＩＦ）部２０Ａ、２０Ｂ、フレーム制御部２２Ａ、２２Ｂ、光送受信部２４Ａ、２４Ｂ、受信バッファ部２６Ａ、２６Ｂ、及び送信バッファ部２８Ａ、２８Ｂは、本発明の接続部に相当する。一方、ＤＢＡ処理部３０は、本発明の割当部に相当する。
【００２７】
上位ネットワークＩＦ部２０Ａ、２０Ｂは、本発明の上位装置接続部に相当し、上位装置としての上位ネットワークに対して信号の送受信を行う。具体的には、上位ネットワークＩＦ部２０Ａ、２０Ｂは、上位ネットワークからの信号を終端、またはフレーム制御部２２Ａ、２２Ｂからの信号を上位ネットワークのフォーマットに変換し信号を送信する。
【００２８】
フレーム制御部２２Ａ、２２Ｂは、本発明の制御部に相当し、上位ネットワークとＯＮＵ１４との通信を制御する。具体的には、上位ネットワークから入力されたフレームデータに制御フレームを挿入する、または光送受信部２４Ａ、２４Ｂからの信号から制御フレームを抜き出す。
【００２９】
光送受信部２４Ａ、２４Ｂは、電気信号を光信号に変換してＯＮＵ１４へ光信号を送信し、ＯＮＵ１４からの光信号を受信して電気信号に変換する。すなわち、光送受信部２４Ａ、２４Ｂは、フレーム制御部２２Ａ、２２Ｂからの信号を光信号に変換してＯＮＵ１４へ送信する、またはＯＮＵ１４からの光信号を電気信号に変換してフレーム制御部２２Ａ、２２Ｂへ送信する。
【００３０】
受信バッファ部２６Ａ、２６Ｂは、フレーム制御部２２Ａ、２２Ｂにて抜き出された制御フレームを一時的に蓄積してＤＢＡ処理部３０へ渡す。
【００３１】
送信バッファ部２８Ａ、２８Ｂは、ＤＢＡ処理部３０からの制御フレームをフレーム制御部２２Ａ、２２Ｂにてデータフレームと多重するために一時的に蓄積する。
【００３２】
そして、ＤＢＡ処理部３０は、複数のＰＯＮで共用し、ＧＡＴＥフレーム、ＲＥＰＯＲＴフレームの処理、及び帯域演算処理を行う。また、ＤＢ Ａ処理部３０は、ＯＮＵ１４からの上り送信の衝突が発生しないようＰＯＮ毎にそれぞれ異なる送信許可時間帯を割り当てる処理を行う。
【００３３】
ここで、上述のように構成された本実施形態に係る光通信ネットワークシステム１０における、ＰＯＮ毎の帯域の割当演算の処理の手順について説明する。図２は、第１実施形態に係る光通信ネットワークシステム１０におけるＰＯＮ毎の帯域の割当演算の処理の手順を示すタイムチャートである。
【００３４】
まず、第１ステップとして、ＯＬＴ１２は、ＤＢＡ処理部３０から全てのＯＮＵ１４に対してＧＡＴＥフレーム（図２に示す「Ｇ」）を順次送信する。このＧＡＴＥフレームには、ＲＥＰＯＲＴフレーム（図２に示す「Ｒ」）、及びデータフレーム（図２に示す「Ｄ」）の送信開始時刻と送信データ量が含まれる。この時刻情報はＯＬＴ１２側で順次受信できるようにしている。またこれらの情報は、前のＤＢＡ周期にて演算された結果を元に生成される。図２では、ＰＯＮ＃１のＧＡＴＥフレームの送信後に、ＰＯＮ＃２のＧＡＴＥフレームの送信を行った例を示す。
【００３５】
第２ステップとして、ＧＡＴＥフレームを受信した各ＯＮＵ１４は、それまでに蓄積されたデータ量の情報を指定された時刻にＲＥＰＯＲＴフレームとして送信する。また同様に、データフレームを指定された時刻に送信する。
【００３６】
第３ステップとして、一方のＰＯＮ（ＰＯＮ＃１）の配下の全てのＯＮＵ１４からＲＥＰＯＲＴフレームを受信した時点で、ＤＢＡ処理部３０では、割り当て帯域を求めるための演算が開始される。
【００３７】
また、第４ステップとして、他方のＰＯＮ（ＰＯＮ＃２）の配下の全てのＯＮＵ１４からＲＥＰＯＲＴフレームを受信した時点で、演算を開始したいが、まだ一方のＰＯＮ（ＰＯＮ＃１）にて演算処理が実施されているため、待ち状態となる。一方のＰＯＮ（ＰＯＮ＃１）の演算が終了した後から演算が開始される。
【００３８】
そして、第５ステップとして、双方のＰＯＮの演算が終了したところでひとつのＤＢＡ周期を終了し、次のＤＢＡ周期へと移行する。
【００３９】
この手順を順次繰り返すことで、各ＯＮＵ１４からの上りデータが衝突しないようＯＬＴ１２によって制御が行われる。
【００４０】
このように、複数のＰＯＮを収容して、各ＯＮＵ１４からの上りデータが衝突しないように制御することで、ＯＬＴ１２に対するＯＮＵ１４の加入数を増加させることができる。また、ＰＯＮインタフェースボードを収容するスロット数が限られた数であっても、複数のＰＯＮを収容できるため、ＯＬＴ１２に対するＯＮＵ１４の加入数を増加させることができる。
【００４１】
また、ＤＢＡ処理部３０を複数のＰＯＮで共用することにより、実装スペース削減や、コスト・消費電力の低減を図ることができる。
【００４２】
なお、上記手順では、ＧＡＴＥフレーム送信、ＲＥＰＯＲＴフレーム受信、ＤＢＡ演算はそれぞれＤＢＡ処理部３０がひとつであり、同一処理を同時に実施できないためそれぞれ順次行う処理となっている。
【００４３】
（第２実施形態）
第１実施形態のように、ＰＯＮインタフェースボードに複数のＰＯＮを収容し、ＤＢＡ処理部３０を共有する場合、上述のようにＰＯＮ毎の帯域割り当て演算は順次処理となる。そのため、従来（図５）のように単独で処理する場合よりもトータルの演算時間がおおよそ倍となってしまう。また、ＯＮＵ１４は、ＲＥＰＯＲＴフレームを送信してから次のＤＢＡ周期のＧＡＴＥフレームで割り当てられた送信可能時間までデータを蓄積しておかなければならず、メモリの増大と遅延が大きくなってしまう課題がある。
【００４４】
そこで、第２実施形態では、送信許可時間帯を割り当てるためのフレーム信号（ＧＡＴＥフレームとＲＥＰＯＲＴフレーム）の送受信をＰＯＮ毎に区切って行い、フレーム信号の送受信を行っている間に、別のＰＯＮ送信許可時間帯を演算するようになっている。なお、第２実施形態に係る光通信ネットワークシステム１０は、第１実施形態と同様の構成とされているため、詳細な説明は省略する。
【００４５】
続いて、第２実施形態に係る光通信ネットワークシステム１０における、ＰＯＮ毎の帯域の割当演算の処理の手順について説明する。図３は、第２実施形態に係る光通信ネットワークシステム１０におけるＰＯＮ毎の帯域の割当演算の処理の手順を示すタイムチャートである。
【００４６】
第１実施形態では、ＯＬＴ１２の各ＰＯＮの配下の全てのＯＮＵ１４に対して、ＧＡＴＥフレームを送信し、その応答であるＲＥＰＯＲＴフレームを全て受信した後に、それぞれのＰＯＮのＤＢＡ演算を順次実施する例を示した。つまりＤＢＡ周期はＧＡＴＥフレームを送信してからＲＥＰＯＲＴフレームを受信するまでの時間と各ＰＯＮのＤＢＡ演算時間を合わせた分だけ必要であった。
【００４７】
これに対して、第２実施形態では、ＧＡＴＥフレームとＲＥＰＯＲＴフレームの送受信は、ＰＯＮ毎に区切って実施し、それらのフレームの送受信を実施している間に別のＰＯＮのＤＢＡ演算を実施する。これにより、ＤＢＡ周期は、図３に示すように、各ＰＯＮのＧＡＴＥフレームを送信してからＲＥＰＯＲＴフレームを受信するまでの時間とＤＢＡ演算時間だけとなり短縮可能となる。詳細の手順を以下に示す。
【００４８】
まず、第１ステップとして、一方のＰＯＮ（ＰＯＮ＃１）のＯＬＴ１２では、ＯＮＵ１４へＲＥＰＯＲＴフレーム（図３に示す「Ｒ」）、及びデータフレーム（図３に示す「Ｄ」）の送信許可を示すＧＡＴＥフレーム（図３に示す「Ｇ」）をＯＬＴ１２のＤＢＡ処理部３０から送信バッファ部２８Ａへ転送する。そして転送されたＧＡＴＥフレームは、フレーム制御部２２Ａにて上位ネットワークＩＦ部２０Ａからのデータフレームと多重され、光送受信部２４Ａで光に変換されＯＮＵ１４へ送信される。
【００４９】
第２ステップとして、第１ステップで光送受信部２４Ａから送信されたＧＡＴＥフレームを受け取ったＯＮＵ１４は、記載されたＲＥＰＯＲＴ送信開始時刻情報に従って、それまでに蓄積した上りデータ量をＲＥＰＯＲＴフレームに記載してＯＬＴ１２へ送信する。また、データ送信開始時刻と送信データ量に従って、それまでにＯＮＵ１４のバッファに蓄積された送信待ちの上りデータを送信する。ＯＬＴ１２は、送られて来たＲＥＰＯＲＴフレームを光送受信部２４Ａにて電気信号に変換した後、フレーム制御部２２Ａにて抜き出し、受信バッファ部２６Ａに蓄積する。
【００５０】
第３ステップとして、ＤＢＡ処理部３０では、一方のＰＯＮ（ＰＯＮ＃１）のＲＥＰＯＲＴフレーム受信をトリガに、他方のＰＯＮ（ＰＯＮ＃２）にてＯＮＵ１４へのＧＡＴＥフレームをＯＬＴ１２のＤＢＡ処理部３０から送信バッファ部２８Ｂへ転送する。転送されたＧＡＴＥフレームは、フレーム制御部２２Ｂにて上位ネットワークＩＦ部２０Ｂからのデータフレームと多重され、光送受信部２４Ｂで光に変換されてＯＮＵ１４へ送信される。ここで、本実施形態では、一方のＰＯＮ（ＰＯＮ＃１）のＲＥＰＯＲＴフレームの受信（図３の「Ｒ処理」）と、他方のＰＯＮ（ＰＯＮ＃２）のＧＡＴＥフレームの送信（図３の「Ｇ処理」）とを同時期に行う。なお、図３では、一方のＰＯＮ（ＰＯＮ＃１）のＲＥＰＯＲＴフレームの処理（図３のＲ処理）と、他方のＰＯＮ（ＰＯＮ＃２）のＧＡＴＥフレームの処理（図３のＧ処理）とを同時期に行うので、重なって行われているように示すが、厳密には同時に処理できないので重なってはいない。例えば、何れか一方を全て処理した後他方を全て処理する。或いは、Ｒ処理とＧ処理とを交互に処理してもよい。或いは、Ｇ処理を優先して処理してバッファが溢れる前まではＲ処理を待機してもよい。或いは、必要となるまではＲ処理を待機してもよい。これらの何れかにより、処理時間の短縮が可能となる。
【００５１】
その後、第４ステップとして、ＤＢＡ処理部３０は、第２ステップで受信したＲＥＰＯＲＴフレームを受信バッファ部２６Ａから読み出し、その中に記載された各ＯＮＵ１４のバッファに蓄積されている送信待ちのデータ量から、それぞれのＯＮＵ１４に割り当てるべき上り帯域（ＯＮＵ１４の上り送信開始時刻と送信量）を算出する。
【００５２】
また、第５ステップとして、他方のＰＯＮ（ＰＯＮ＃２）では、第３ステップのＧＡＴＥフレームを受け取ったＯＮＵ１４が記載されたＲＥＰＯＲＴフレームの送信開始時刻情報に従ってそれまでに蓄積した上りデータ量をＲＥＰＯＲＴフレームに記載しＯＬＴ１２へ送信する。また、データ送信開始時刻と送信データ量に従って今までＯＮＵ１４のバッファに蓄積されている送信待ちの上りデータを送信する。ＯＬＴ１２は、各ＯＮＵ１４からのＲＥＰＯＲＴフレームを光送受信部２４Ｂにて電気信号に変換した後、フレーム制御部２２Ｂにて抜き出し、受信バッファ部２６Ｂに蓄積する。
【００５３】
次に、第６ステップとして、一方のＰＯＮ（ＰＯＮ＃１）では、新たなＤＢＡ周期の開始をトリガに上記にて算出した各ＯＮＵ１４に割り当てるべき上り帯域情報を盛り込んだＧＡＴＥフレームをＯＬＴ１２のＤＢＡ処理部３０から送信バッファ部２８Ａへ転送する。そして、転送されたＧＡＴＥフレームはフレーム制御部２２Ａにて上位ネットワークＩＦ部２０Ａからのデータフレームと多重され、光送受信部２４Ａで光に変換されＯＮＵ１４へ送信される。
【００５４】
その後、第７ステップとして、ＤＢＡ処理部３０は第５ステップで受信したＲＥＰＯＲＴフレームを受信バッファ部２６Ｂから読み出し、その中に記載された各ＯＮＵ１４のバッファに蓄積されている送信待ちのデータ量から、それぞれのＯＮＵ１４に割り当てるべき上り帯域（ＯＮＵ１４の上り送信開始時刻と送信量）を算出する。
【００５５】
第８ステップとして、第６ステップでＧＡＴＥフレームを受け取ったＯＮＵ１４は、記載されたＲＥＰＯＲＴフレームの送信開始時刻情報に従って、それまでに蓄積した上りデータ量をＲＥＰＯＲＴフレームに記載してＯＬＴ１２へ送信する。また、データ送信開始時刻と送信データ量に従ってそれまでＯＮＵ１４のバッファに蓄積されている送信待ちの上りデータを送信する。ＯＬＴ１２は、各ＯＮＵ１４からのＲＥＰＯＲＴフレームを光送受信部２４Ａにて電気信号に変換した後、フレーム制御部２２Ａにて抜き出し、受信バッファ部２６Ａに蓄積する。
【００５６】
第９ステップとして、他方のＰＯＮ（ＰＯＮ＃２）では、新たなＤＢＡ周期の開始をトリガに上記にて算出した各ＯＮＵ１４に割り当てるべき上り帯域情報を盛り込んだＧＡＴＥフレームをＯＬＴ１２のＤＢＡ処理部３０から送信バッファ部２８Ｂへ転送する。そして、転送されたＧＡＴＥフレームは、フレーム制御部２２Ｂにて上位ネットワークＩＦ部２０Ｂより送られて来るデータフレームと多重し、光送受信部２４ＢよりＯＮＵ１４へ送信される。以降、第４ステップから第９ステップを繰り返す。
【００５７】
以上のように、本実施形態によれば、複数のＰＯＮを収容するＯＬＴ１２においてＤＢＡ処理部３０を共有し、ＧＡＴＥフレームとＲＥＰＯＲＴフレームの送受信をＰＯＮ毎に区切って実施する。また、それらのフレームの送受信を実施している間に別のＰＯＮのＤＢＡ演算を実施することで、第１実施形態よりもＤＢＡ周期の短縮が可能となり、データ遅延の短縮が期待できる。
【００５８】
なお、上記の実施形態では、ＯＬＴ１２のＰＯＮインタフェースボードに、２つのＰＯＮを収容した例を説明したが、ＰＯＮは２つに限るものではなく、３つ以上のＰＯＮを単一のＰＯＮインタフェースボードに収容してもよい。
【００５９】
また、上記の実施形態におけるＯＬＴ１２の各部の処理は、ハードウエアで行う処理としてもよいし、プログラムを実行することで行われるソフトエアで行う処理としてもよいし、双方を組み合わせた処理としてもよい。
【００６０】
さらに、本発明は、上記に限定されるものでなく、上記以外にも、その主旨を逸脱しない範囲内において種々変形して実施可能であることは勿論である。
【符号の説明】
【００６１】
１０    光通信ネットワークシステム
１２    ＯＬＴ
１４    ＯＮＵ
１６    光スプリッタ
１８    光ファイバ
２０Ａ、２０Ｂ    上位ネットワークＩＦ
２２Ａ、２２Ｂ    フレーム制御部
２４Ａ、２４Ｂ    光送受信部
２６Ａ、２６Ｂ    受信バッファ部
２８Ａ、２８Ｂ    送信バッファ部
３０    ＤＢＡ処理部
【図１】
0006477072.tif 000002
【図２】
0006477072.tif 000003
【図３】
0006477072.tif 000004
【図４】
0006477072.tif 000005
【図５】
0006477072.tif 000006